(57)【要約】      （修正有）【課題】既存の靴紐付き靴に後からファスナー部を設けることができる靴紐を提供する。【解決手段】靴の紐孔に通すことができる幅に形成された靴紐１であって、ファスナーテープ１０と、前記ファスナーテープ１０の一側端部に設けられ、複数のファスナーエレメント２１を有するファスナーエレメント列２０と、前記ファスナーエレメント列２０が対向するように、前記ファスナーテープ１０が折り返され、前記対向するファスナーエレメント列２０を噛合又は分離させるスライダー４０とを備える。【選択図】図１
2020110633.tif 000002
【特許請求の範囲】
【請求項１】
靴の紐孔に通すことができる幅に形成された靴紐であって、
ファスナーテープと、
前記ファスナーテープの一側端部に設けられ、複数のファスナーエレメントを有するファスナーエレメント列と、
前記ファスナーエレメント列が対向するように、前記ファスナーテープが折り返され、前記対向するファスナーエレメント列を噛合又は分離させるスライダーと、
を備え、
前記スライダーは、上下に２つ取り付けられている、
ことを特徴とする靴紐。
【請求項２】
前記ファスナーテープの前記ファスナーエレメントを有しない側の端部から前記ファスナーエレメントの前記ファスナーテープ側の端部までの幅寸法は、前記ファスナーエレメントの前記ファスナーテープ側の端部から前記ファスナーテープの前記ファスナーエレメントを有する側の端部まで幅寸法よりも小さいことを特徴とする請求項１に記載の靴紐。
【請求項３】
前記ファスナーテープの前記ファスナーエレメントが設けられた一側端部とは反対側の他側端部には、ファスナーテープのほつれを防ぐ補強部が形成されている請求項１又は２に記載の靴紐。
【請求項４】
前記ファスナーエレメントは、前記ファスナーテープの各先端から先端近傍に至るまでの間にのみ設けられている請求項１〜３のいずれかに記載の靴紐。
【請求項５】
請求項１〜４のいずれかに記載の靴紐を備えた靴。
【発明の詳細な説明】
【技術分野】
【０００１】
本発明は、靴紐又は該靴紐を備えた靴に関するものである。
【背景技術】
【０００２】
従来、靴の靴紐に相当する部分にファスナーを設けて、このファスナーの開閉により、履口部の開口を広げ、あるいは狭めたりすることができ、容易に靴の脱ぎ履きができるファスナータイプの靴が知られている（例えば、特許文献１参照）。
【先行技術文献】
【特許文献】
【０００３】
【特許文献１】実用新案登録第３１９６８５５号公報
【発明の概要】
【発明が解決しようとする課題】
【０００４】
しかしながら、このようなファスナータイプの靴は、靴の製造時からファスナー部を作り込む必要があるため、靴紐付き靴において、後からファスナー部を設けることができなかった。
【０００５】
そこで、本発明は、上記事情に鑑みてなされたもので、その目的は、既存の靴紐付き靴において容易に靴の脱ぎ履きができる靴紐を提供することにある。
【課題を解決するための手段】
【０００６】
本発明は、上記目的を達成するため、以下の構成を有する。
【０００７】
［１］靴の紐孔に通すことができる幅に形成された靴紐であって、ファスナーテープと、前記ファスナーテープの一側端部に設けられ、複数のファスナーエレメントを有するファスナーエレメント列と、前記ファスナーエレメント列が対向するように、前記ファスナーテープが折り返され、前記対向するファスナーエレメント列を噛合又は分離させるスライダーと、を備えたことを特徴とする靴紐。
【０００８】
［２］前記ファスナーテープの前記ファスナーエレメントを有しない側の端部から前記ファスナーエレメントの前記ファスナーテープ側の端部までの幅寸法は、前記ファスナーエレメントの前記ファスナーテープ側の端部から前記ファスナーテープの前記ファスナーエレメントを有する側の端部まで幅寸法よりも小さいことを特徴とする前項１に記載の靴紐。
【０００９】
［３］前記ファスナーテープの前記ファスナーエレメントが設けられた一側端部とは反対側の他側端部には、ファスナーテープのほつれを防ぐ補強部が形成されている前項１又は２に記載の靴紐。
【００１０】
［４］前記ファスナーエレメントは、前記ファスナーテープの各先端から先端近傍に至るまでの間にのみ設けられている前項１〜３のいずれかに記載の靴紐。
［５］前項１〜４のいずれかに記載の靴紐を備えた靴。
【発明の効果】
【００１１】
本発明は、上記構成により、以下の発明の効果を奏する。
【００１２】
前項［１］の発明によると、本発明の靴紐は靴の紐孔に通すことができる幅に形成されているため、この靴紐を紐付き靴の紐孔に通すことができ、靴紐の両先端部からスライダーで締め上げることで、履口部の開口を広げたり、あるいは狭めたりすることができ、容易に靴の脱ぎ履きができる。
【００１３】
前項［２］の発明によると、靴紐のファスナーを締め上げる際、前記ファスナーテープの前記ファスナーエレメントを有しない側の端部が、前記ファスナーテープの前記ファスナーエレメントを有する側の端部までとどかないため、ファスナーエレメントに挟み込まれるのを防止できる。
【００１４】
前項［３］の発明によると、補強部を設けたため、ファスナーテープが紐孔と擦れることで、ファスナーテープがほつれるのを防止できる。
【００１５】
前項［４］の発明によると、靴紐を靴に通すときに、ファスナーエレメントが紐孔と擦れることで、靴紐を紐孔に通し難くなるのを軽減できる。
【００１６】
前項［５］の発明によると、靴において、上記［１］〜［４］の効果を奏することができる。
【図面の簡単な説明】
【００１７】
【図１】本発明の一実施形態を示す斜視図である。
【図２】同実施形態かかる靴紐の構成を説明する外観図である。
【図３】同実施形態かかる靴紐の装着状態を説明する説明図である。
【発明を実施するための形態】
【００１８】
図１に示すように、本発明の一実施形態にかかる靴紐１および靴紐１を備える靴６について説明する。靴紐１は、靴６の紐孔６１に通されて使用されるものである。
【００１９】
図２に示すように、靴紐１は、ファスナーテープ１０と、複数のファスナーエレメント２１を有するファスナーエレメント列２０と、補強部３０と、スライダー４０と、を備えている。
【００２０】
ここで、靴紐１の幅とは、ファスナーテープ１０に装着されたファスナーエレメント２１の端部２１ａから、ファスナーテープ１０の端部１０ｂ（他側端部１０ｂ）までの寸法Ｘとする。この靴紐１の幅寸法Ｘは、靴２の紐孔６１の直径寸法よりも小さく、靴２の紐孔６１に靴紐１が通る幅寸法に設定されている。具体的に靴紐１の幅寸法は、例えば一般的な靴の紐孔の直径寸法３ｍｍ〜２０ｍｍよりも小さく設定されている。
【００２１】
ファスナーテープ１０の素材は、例えば、ナイロン、ポリエステル、コットンなどを採用でき、その他の任意の素材も採用できる。
【００２２】
ファスナーテープ１０の長さは、特に限定はされないが、例えば男性用、女性用、大人用または子供用の一般的な靴紐の長さとほぼ同じであれば良く、具体的には例えば５０ｃｍ〜１５０ｃｍの長さであれば良い。また、ハイカット、ロングブーツなどの靴については、１５０ｃｍを超える長さとしても良く、靴の種類にあわさせて設定できる。
【００２３】
ファスナーテープ１０の幅（左右方向）は、ファスナーテープ１０の一側端部１０ａにファスナーエレメント２１を設けるため、少なくともファスナーエレメント２１を設けられる幅寸法に設定されている。例えば、ファスナーテープ１０の幅は１ｍｍ〜２０ｍｍに設定されている。
【００２４】
ファスナーテープ１０の厚さ（表面から裏面までの表裏方向）は、ファスナーエレメント２１の厚さよりも小さく設定されている。
【００２５】
ファスナーエレメント列２０は、ファスナーテープ１０の幅方向の一側端部１０ａに設けられている。さらに、ファスナーエレメント列２０は、ファスナーテープ１０の長さ方向の先端から他の先端に至るまで、複数のファスナーエレメント２１を設けて構成されている。
【００２６】
また、ファスナーテープ１０のファスナーエレメント２１を有しない側の端部１０ｂ（他側端部１０ｂ）からファスナーエレメント２１のファスナーテープ１０側の端部２１ｂまでの幅Ｙ寸法は、ファスナーエレメント２１のファスナーテープ１０側の端部２１ａからファスナーテープ１０のファスナーエレメント２１を有する側の端部１０ａまでの幅Ｚ寸法よりも小さい。
【００２７】
このファスナーエレメント２１は、例えば、ポリアミド、ポリアセタール、ポリプロピレン、ポリブチレンテレフタレートなどの合成樹脂を用いて、ファスナーテープ１０の一側端部１０ａに射出成形されて取り付けられている。また、ファスナーエレメントはコイル状の樹脂で形成しても良い。また、ファスナーエレメント２１は、これら合成樹脂以外の素材として、金属などの素材、その他任意の素材を採用できる。
【００２８】
補強部３０は、ファスナーテープ１０の幅方向において、ファスナーエレメント列２０が設けられている一側端部１０ａとは反対側の他側端部１０ｂに設けられている。また、補強部３０は、ファスナーテープ１０の長さ方向の先端から他の先端に至って設けられている。
【００２９】
補強部３０は、ファスナーテープ１０の他側端部１０ｂがほつれないように補強できるものであれば良く、例えば、ヒートカットにより溶かした生地が再び固まることにより糸のほつれを防止できるものであっても良い。これ以外にも、補強部３０は、ファスナーテープ１０の他側端部１０ｂに樹脂やゴム等を溶着させたもの、手縫いでほつれ止めしたもの、ピンキングはさみで裁断してほつれ止めとしたもの、またピンキングはさみで裁断した上に熱を加えて溶着したものであって良い。
【００３０】
図２に示すように、ファスナーテープ１０の両先端部が近接し、ファスナーエレメント列２０が対向するように折り返された状態において、スライダー４０は、対向するファスナーエレメント列２０を相互に噛合または分離させるものであり、ファスナーエレメント列２０に沿って、ファスナーテープ１０の長手方向に往復移動が可能である。
【００３１】
また、スライダー４０は上下に２つ取り付けられおり、上下２つのスライダー４０は靴紐１の一方の先端側（ファスナーエレメント列２０）から分離できず、靴紐１の他方の先端側（ファスナーエレメント列２０）から分離できるように構成されている。これにより、靴紐１は、スライダーを他のファスナーエレメント列２０から完全に分離させると、環状から紐状になり、スライダーを他のファスナーエレメント列２０に結合させると紐状から環状になる。
【００３２】
スライダー４０は、ファスナーテープ１０の両先端側から離れる方向に向かって移動させると、対向するファスナーエレメント列２０を相互に嵌合させ、両先端側に向かって移動させると、対向するファスナーエレメント列２０を相互に分離させる。
【００３３】
スライダー４０は、例えば樹脂、金属などの素材、その他任意の素材を採用できる。
次に、靴紐１を靴６に装着する方法について説明する。
【００３４】
図３に示すように、スライダー４０を靴紐１（ファスナーエレメント列２０）の先端側に移動させることにより、対向するファスナーエレメント列２０を相互に分離させていき、靴紐１の先端同士も完全に分離させて、靴紐１を１本のループ状にする。この状態において、通常の靴紐のように、靴紐１のスライダー４０が付いていない側の先端部を靴６の紐孔６１に下方側から上方側に向かって通す。最後に、靴紐１の先端同士をスライダー４０で結合させ、このスライダー４０を靴紐１の両先端側から離れる方向に向かって移動させると対向するファスナーエレメント列２０が噛合されて、履口部６２の開口を狭めることができる。
本実施形態の靴紐１は、次の利点がある。
【００３５】
上記実施形態によると、ファスナーエレメント列２０は、ファスナーテープ１０の一側端部１０ａであって、ファスナーテープ１０の先端から他の先端に至るまで、複数のファスナーエレメント２１を設けて構成したため、ファスナーを締め上げる範囲が広がることにより、通常の靴、紐孔が複数設けられているブーツ、つま先部分までしか紐孔がないような靴など、様々な靴に対応できる。
【００３６】
以上、本発明を一実施形態に基づいて説明してきたが、本発明はこれに限定されるものではなく、その発明の範囲で適宜変更可能であり、例えば以下のように構成しても良い。
【００３７】
（１）上記実施形態によると、複数のファスナーエレメント２１はファスナーテープ１０の先端から他の先端に至るまで設けられるとしたが、本発明はこれに限定されるものではなく、例えば、ファスナーテープ１０の各先端から先端近傍に至るまでの間にのみ、複数のファスナーエレメント２１を設けても良い。このように構成することで、靴紐を靴に通すときに、ファスナーエレメントが紐孔と擦れることで、靴紐を紐孔に通し難くなるのを軽減できる。また、このような構成において、ファスナーエレメント２１が設けられていない部分に、ほつれを防止するために補強部３０を設けても良い。
【００３８】
（２）上記実施形態によると、スライダー４０は２つ設けたが、本発明はこれに限定されるものではなく、例えば、１つでもあっても良い。
【符号の説明】
【００３９】
１ ：靴紐
１０：ファスナーテープ
１０ａ：一側端部
１０ｂ：他側端部
２０：ファスナーエレメント列
２１：ファスナーエレメント
２１ａ：端部
２１ｂ：端部
３０：補強部
４０：スライダー
６ ：靴本体
６１：紐孔
６２：履口部
【図１】
2020110633.tif 000003
【図２】
2020110633.tif 000004
【図３】
2020110633.tif 000005